(57)【要約】【課題】耐衝撃性に優れた文字板を備える時計を提供すること。【解決手段】時計１は、ケース２０と、ケース２０に収容されるムーブメント１０と、ケース２０内でムーブメント１０に対向配置された文字板１１と、文字板１１の外周縁を表裏にわたって覆い、かつ当該外周縁の周方向に沿って設けられた弾性部材４０とを備える。このような時計１では、文字板１１の外周縁が表裏にわたって弾性部材４０に覆われるので、時計１のケース２０に外部から衝撃が加わっても、弾性部材４０が緩衝材として確実に機能することになり、ケース２０を介して文字板に大きな衝撃が伝わるのを防止でき、耐衝撃性を向上させることができる。【選択図】図１
2010243425.tif 000002
【特許請求の範囲】
【請求項１】
ケースと、
前記ケースに収容されるムーブメントと、
前記ケース内で前記ムーブメントに対向配置された文字板と、
前記文字板の外周縁を表裏にわたって覆い、かつ当該外周縁の周方向に沿って設けられた弾性部材とを備えている
ことを特徴とする時計。
【請求項２】
請求項１に記載の時計において、
前記弾性部材は、前記文字板の外周縁が嵌め込まれる溝部を有するとともに、前記周方向に連続した環状に形成されている
ことを特徴とする時計。
【請求項３】
請求項１または請求項２に記載の時計において、
前記ケースの内周面は、前記文字板の嵌合方向の先端側に向かって縮径したテーパ面とされ、
前記弾性部材は、前記内周面により押圧方向に弾性変形した状態で嵌合している
ことを特徴とする時計。
【請求項４】
請求項１から請求項３のいずれかに記載の時計において、
前記ケースには、前記弾性部材の表面側が当接される見切部が設けられ、
前記見切部には、前記文字板側に突設した突部が設けられている
ことを特徴とする時計。
【請求項５】
請求項１から請求項４のいずれかに記載の時計において、
前記文字板の表示面は球面状である
ことを特徴とする時計。
【発明の詳細な説明】
【技術分野】
【０００１】
本発明は、時計に係り、特にケースへの文字板の取付構造の改良に関する。
【背景技術】
【０００２】
従来、外部からの衝撃を緩衝して、使用中における部品の破損を防止する時計が知られている（例えば、特許文献１および２参照）。
特許文献１に記載の腕時計は、文字板としての表示板を形成する装飾板と、装飾板の外縁部の固定部位を上方から押圧する押さえ部材と、固定部位内に貼着される電着形成部材とを備えている。電着形成部材を貼着することで、腕時計の本体に外部から衝撃が加わっても、押さえ部材からの衝撃力が電着形成部材を介して装飾板に伝わるため、電着形成部材が緩衝材の役割を果たし、装飾板の受ける衝撃を低減でき、装飾板の損傷を抑制できる。
【０００３】
また、特許文献２に記載の時計では、ケースと太陽電池との間にリング状の弾性部材が設けられており、この弾性部材が緩衝材となって文字板として用いられる太陽電池に大きな力や衝撃が加わらない構成が採られている。
【先行技術文献】
【特許文献】
【０００４】
【特許文献１】特開平１１−１４２５３８号公報
【特許文献２】特開２００２−２７７５６４号公報
【発明の概要】
【発明が解決しようとする課題】
【０００５】
ところで、特許文献１に記載のように、固定部位内に金属製の電着形成部材を貼着し、電着形成部材を押さえ部材に当接させる従来の構成では、時計に衝撃が加わった際に、金属製の電着形成部材による緩衝性能が低く、十分に衝撃を緩和できないという問題がある。
また、特許文献２に記載のように、ケースと太陽電池との間に弾性部材を設ける構成では、太陽電池の端面方向から衝撃が加わった際に、太陽電池が破損しやすくなるという問題がある。
【０００６】
本発明は、上記のような問題に鑑みて、耐衝撃性に優れた文字板を備える時計を提供することを目的とする。
【課題を解決するための手段】
【０００７】
本発明の時計は、ケースと、前記ケースに収容されるムーブメントと、前記ケース内で前記ムーブメントに対向配置された文字板と、前記文字板の外周縁を表裏にわたって覆い、かつ当該外周縁の周方向に沿って設けられた弾性部材とを備えていることを特徴とする。
【０００８】
本発明によれば、文字板の外周縁の周方向に沿って弾性部材が設けられ、文字板の外周縁が表裏にわたって弾性部材に覆われるので、時計のケースに外部から衝撃が加わっても、弾性部材が緩衝材として確実に機能することになり、ケースを介して文字板に大きな衝撃が伝わるのを防止できる。
【０００９】
また、本発明の時計では、前記弾性部材は、前記文字板の外周片が嵌め込まれる溝部を有するとともに、前記周方向に連続した環状に形成されていることが好ましい。
この発明によれば、弾性部材が周方向に連続した環状に設けられているので、文字板の外周縁を溝部に嵌め込むことで、当該外周縁全周を１つの弾性部材で容易に覆うことができる。
【００１０】
また、本発明の時計では、前記ケースの内周面は、前記文字板の嵌合方向の先端側に向かって縮径したテーパ面とされ、前記弾性部材は、前記内周面により押圧方向に弾性変形した状態で嵌合していることが好ましい。
この発明によれば、ケースの内周面がテーパ面に形成されているので、弾性部材をテーパ面の上側にスライドさせることにより、弾性変形した状態で嵌め込むことができる。このことにより、文字板を弾性部材を介して内周面に圧接でき、文字板の周方向へのずれを防止できる。
【００１１】
さらに、本発明の時計では、前記ケースには、前記弾性部材の表面側が当接される見切部が設けられ、前記見切部には、前記文字板側に突設した突部が設けられていることが好ましい。
この発明によれば、文字板をケース内に収容したときに、文字板と突部が近接配置されるので、ケースの見切部と文字板との間から弾性部材を見えにくくでき、意匠性を良好にできる。
【００１２】
そして、前記文字板の表示面は球面状であることが好ましい。
ここで、球面状の表示面を有した文字板の中心部の板厚寸法は、外周縁の板厚寸法よりも大きく形成される。
この発明によれば、文字板をケース内に収容したときに、文字板の中心部分の上面の高さ位置は、ケースの見切部の下面の高さ位置より高くなるので、やはりケースの見切部と文字板との間から弾性部材を見えにくくでき、意匠性を良好にできる。
【図面の簡単な説明】
【００１３】
【図１】本発明の第一実施形態に係る時計の要部を示す断面図である。
【図２】本発明の弾性部材を示す斜視図である。
【図３】第二実施形態に係る時計の要部を示す断面図である。
【図４】第三実施形態に係る時計の要部を示す断面図である。
【発明を実施するための形態】
【００１４】
［第一実施形態］
以下、本発明に係る第一実施形態について、図面に基づいて説明する。
図１は、本実施形態に係る時計１の要部を示す拡大断面図である。
図１において、時計１は、例えばアナログ式の電子時計であり、ステッピングモーターや駆動輪列などが組み込まれたムーブメント１０と、ムーブメント１０を収容するケース２０とを備える。ムーブメント１０の表側には、文字板１１および指針１２（秒針、分針、時針の各一部を図示）が設けられている。
【００１５】
ケース２０の一方の開口側（図１中の上側）には風防ガラス２２が取り付けられ、他方の開口側（図１中の下側）には、裏蓋２３が取り付けられている。ケース２０の側方には、ムーブメント１０の巻真１３に取り付けられた竜頭３０が配置されている。この竜頭３０を操作することで時刻修正等が行われる。このようなケース２０の内周面２０Ａは平面略円形に形成されている。さらに、ケース２０には、内周面２０Ａから径方向内方側に突出する見切部２１が設けられている。
【００１６】
ここで、文字板１１としては、例えば、金属材料、あるいはセラミックスやガラスなどの脆性材料から形成される。文字板１１が金属材料から形成される場合、文字板１１の裏面には図示しない複数の足がろう付されており、これらの足がムーブメント１０の挿入孔に挿入されることで、足を介して文字板１１がムーブメント１０に対して位置決め固定されている。一方、文字板１１が非金属である脆性材料から形成される場合には、ムーブメント１０表面に設けられた突起に対応する係合用の切欠部が文字板１１の外周側に設けられており、文字板１１の切欠部にムーブメント１０の突起が係合されることで、文字板１１がムーブメント１０に取り付けられている。
【００１７】
以下には、本実施形態で最も特徴的な構成について説明する。
本実施形態において、文字板１１の外周部分には、シリコーンゴムなどのゴム素材で形成され、弾性を有するリング状の弾性部材４０が設けられている。この弾性部材４０には、図１および図２に示すように、内方側に開口した溝部４１が周方向に連続して設けられ、断面コ字形状に形成されている。この溝部４１が文字板１１の外周に嵌め込まれることで、文字板１１外周の上面部１１Ａ、端面部１１Ｂ、下面部１１Ｃが弾性部材４０で覆われている。
【００１８】
また、弾性部材４０の溝径寸法は、文字板１１の外径寸法よりも小さく、弾性部材４０がわずかに伸びた状態で文字板１１に嵌め込まれる。この際の弾性部材４０の伸び率は１０％程度が好ましく、弾性部材４０が容易に位置ずれしたり、外れたりすることがないうえ、嵌め込み作業も無理なく行える。
【００１９】
ここで、ケース２０の内周面２０Ａは見切部２１側に向かうに従って小径となるように、つまり文字板１１の嵌合方向の先端側に向かうに従って小径となるように、文字板１１の端面部１１Ｂに対して２〜３度程度の傾斜したテーパ面になっている。
さらに、文字板１１に取り付けられた弾性部材４０は、弾性変形した状態でケース２０の内周面２０Ａに嵌め込めるよう、内周面２０Ａの内径寸法に対して０．０５ｍｍ〜０．１５ｍｍの締め代を有する。
【００２０】
次に、弾性部材４０が設けられる文字板１１のケース２０への取付手順を説明する。先ず、弾性部材４０の内径が文字板１１の外径よりも大きくなるように弾性部材４０を伸ばし、文字板１１の外周の上面部１１Ａ、端面部１１Ｂ、下面部１１Ｃに弾性部材４０の溝部４１を嵌合させる。そして、文字板１１をムーブメント１０に取り付け、ムーブメント１０ごとケース２０内に収容する。
【００２１】
上記のようにムーブメント１０に取り付けられた文字板１１は、裏蓋２３側からケース２０内に収容される。このとき、ケース２０の内周面２０Ａはテーパ面になっているので、文字板１１をケース２０に嵌入するにつれて、弾性部材４０の外周面がケース２０の内周面２０Ａに接触して弾性変形し、弾性変形した状態で弾性部材４０の上面が見切部２１の下面に接触する。
【００２２】
以上の本実施形態によれば、以下の効果がある。
すなわち、本実施形態の時計１では、文字板１１の外周部を上面部１１Ａ、端面部１１Ｂ、下面部１１Ｃにわたって覆う弾性部材４０が設けられ、弾性部材４０が緩衝材として機能するので、時計１の本体に外部から衝撃が加わっても、その衝撃がケース２０を介して文字板１１に伝わるのを防止でき、耐衝撃性を向上させることができる。
【００２３】
従って、例えば、文字板１１が金属製とされ、裏面に設けられた足を介してムーブメント１０に取り付けられている場合でも、弾性部材４０が衝撃を緩和することで、文字板１１の足折れを防止できる。
また、文字板１１が脆性材料からなり、文字板１１がムーブメント１０に設けられた突起に係合されて取り付けられている場合でも、落下時における文字板の破損を防止できる。特にソーラー発電を利用した時計１のように、文字板１１がソーラーパネルおよびこれを覆うガラス板で形成される場合には、文字板１１を弾性部材４０によって確実に保護して破損を防止できるため、有用である。
【００２４】
また、弾性部材４０が有する弾性を利用して、弾性部材４０を径方向に伸ばして文字板１１に嵌合しているので、その弾性力により弾性部材４０が文字板１１から外れたり、位置がずれたりするのを防止できる。
【００２５】
さらに、ケース２０の内周面２０Ａがテーパ面となっているので、弾性部材４０を小径側に嵌め込んで配置することにより、弾性部材４０に弾性力が働いた状態でケース２０内に固定できる。このため、弾性部材４０が内周面２０Ａに大きな摩擦力を持って圧接されるので、文字板１１が金属製の円形であっても、周方向への位置ずれを良好に防止でき、文字板１１の足を不要にできる。
【００２６】
［第二実施形態］
次に本発明に係る第二実施形態について説明する。なお、以下の各実施形態において、前記第一実施形態の時計１と同一の構成については同符号を付し、その説明を簡略もしくは省略する。
図３は、本実施形態に係る時計１の要部を示す拡大断面図である。
【００２７】
図３に示す時計１のケース２０において、見切部２１の下面には、弾性部材４０より内方側に文字板１１側に向かって突出した突部２１Ａが形成され、この突部２１Ａが文字板１１に近接対向している。
その他の構成は、前記第一実施形態と同じであるため、説明を省略する。
【００２８】
本実施形態の時計１においても、前記第一実施形態と同様の作用効果を奏することができる。
さらに、文字板１１をケース２０内に収容したときに、突部２１Ａは文字板１１に近接配置されるので、ケース２０の見切部２１と文字板１１との間から弾性部材４０を見えにくくでき、意匠性を良好にできる。
【００２９】
［第三実施形態］
次に、本発明に係る第三実施形態について説明する。
図４は、本実施形態に係る時計１の要部を示す拡大断面図である。
【００３０】
前記第一実施形態の時計１では、文字板１１の形状は、平坦面としていたが、本実施形態の時計１では、図４に示すように球面状の表示面１１Ｄを有した文字板１１を用いる構成としている。ここで、表示面１１Ｄが球面であることから、文字板１１の中心部分の板厚寸法は、外周部分の板厚寸法よりも大きくなる。従って、文字板１１をケース２０内に収容したときには、ケース２０の見切部２１の下面の高さ位置よりも文字板１１の中心部分の上面の高さ位置が高くなり、文字板１１と見切部２１の下面との隙間が小さくなっている。
その他の構成は、前記第一実施形態と同じであるため、説明を省略する。
【００３１】
本実施形態の時計１においても、前記第一実施形態と同様の作用効果を奏することができる。さらに、構成は異なるが、前記第二実施形態と同様の作用効果を奏することもできる。
すなわち、ケース２０の見切部２１の下面の高さ位置よりも文字板１１の中心部分の上面の高さ位置は高くなっているので、ケース２０の見切部２１と文字板１１との間から弾性部材４０を見えにくくでき、意匠性を良好にできる。
【００３２】
［変形例］
なお、本発明は前述の各実施形態に限定されるものではなく、本発明の目的を達成できる範囲での変形、改良などは本発明に含まれるものである。
例えば、前記各実施形態では、文字板１１と弾性部材４０とは別部材になっていたが、弾性部材成形用金型内に文字板１１を配置してインサート成型することにより、弾性部材４０と文字板１１とを一体に成型してもよい。
【００３３】
このとき、前記各実施形態のように、弾性部材４０にて文字板１１の外周縁を全周にわたって連続して覆ってもよいが、周方向に沿って断続的となるように、複数箇所を間隔を空けて覆うような構成としてもよい。つまり、文字板１１を表裏にわたって覆う構成であれば本発明に含まれるのであり、全周にわたって連続して覆うか否かは問わない。
【００３４】
また、弾性部材４０と文字板１１とを別部材とした場合には、弾性部材４０をその外周側に溝部４１が設けられるように成型してもよい。外周側に溝部４１を設けるように成型した場合は、溝部４１が内径側に向くようにひっくり返して使用する必要があるが、外径側に溝部４１を設けて成型した方が量産に適しているうえ、型代も安価にできる。
【００３５】
また、前記各実施形態では、円形の文字板１１を用いていたが、四角形や楕円形などの異形の文字板を用いてもよい。四角形や楕円形の文字板は、ケース２０内で周方向にずれることがないので、位置決め固定用の足を一層不要にできる。
【００３６】
さらに、前記第二実施形態の突部２１Ａが形成されたケース２０と、前記第三実施形態の球面上の表示面１１Ｄを有する文字板１１とを組み合わせた構成としてもよい。この場合、ケース２０の見切部２１と文字板１１との間から弾性部材４０がより見えにくくなるので、意匠性をさらに良好にできる。
【符号の説明】
【００３７】
１…時計、１０…ムーブメント、１１…文字板、１１Ｄ…表示面、１２…指針、１３…巻真、２０…ケース、２０Ａ…内周面、２１…見切部、２１Ａ…突部、４０…弾性部材、４１…溝部。
【図１】
2010243425.tif 000003
【図２】
2010243425.tif 000004
【図３】
2010243425.tif 000005
【図４】
2010243425.tif 000006